(57)【要約】【課題】  ドラムを駆動する洗濯機機能以外の機能を付加した場合にその機能を実行する操作キーが使用者にとって容易に認識できるようにする。【解決手段】  ヒートポンプ機構５０を有するドラム式洗濯乾燥機において、外箱１前面に、蒸発器５１により冷却された空気を前記外箱１外に吐出する吐風口６０を有し、外箱１には、操作パネル３が設けられ、この操作パネル３には、ドラム３０を駆動する行程を実行する洗濯機機能キー８０と、前記吐風口６０から冷風を吐出させる行程を実行する冷風エアコンキー８４とが、ドラム３０と吐風口６０との位置関係に対応して配置されている。【選択図】  図１
2007267785.tif 000002
【特許請求の範囲】
【請求項１】
外箱と、
この外箱の内部に弾性支持される水槽と、
この水槽の内部に回転駆動するドラムとを備えると共に、
前記水槽に接続される通風路と、
この通風路を通して前記水槽内の空気を循環させる送風機と、
前記通風路中に蒸発器と凝縮器とを配設してそれらを圧縮機とサイクル接続することによ
り構成したヒートポンプ機構とを備え、
前記外箱前面に、蒸発器により冷却された空気を前記外箱外に吐出する吐風口を有し、
前記外箱には、操作パネルが設けられ、
この操作パネルには、前記ドラムを駆動する行程を実行する洗濯機機能キーと、前記吐風
口から冷風を吐出させる行程を実行する操作キーとが、前記ドラムと前記吐風口との位置
関係に対応して配置されていることを特徴とするドラム式洗濯機。
【請求項２】
吐風口はドラムより下方に位置し、
この吐風口から冷風を吐出させる行程を実行する操作キーは、前記ドラムを駆動する行程
を実行する洗濯機機能キーの下方に位置することを特徴とする請求項１記載のドラム式洗
濯機。
【発明の詳細な説明】
【技術分野】
【０００１】
本発明は、操作パネルを有するドラム式洗濯機に関する。
【背景技術】
【０００２】
従来より、一般的なドラム式洗濯機は、外箱内に貯水可能な水槽を弾性支持し、水槽内
には洗濯物が収容されるドラムが前記水槽の後面に装着されたモータにより回転可能に設
けられる構成をしている（例えば、特許文献１参照）。
【０００３】
また今般このような一般的なドラム式洗濯機に、ドラムを回転させて洗い等をする洗濯
機機能以外の付加的な機能（例えば、ドラム式洗濯機の前方に冷風を吐風する機能）を設
けることが考えられている。
【特許文献１】特開２００５−１４３７９５号公報
【発明の開示】
【発明が解決しようとする課題】
【０００４】
しかしながら、上述したドラム式洗濯機にドラムを駆動させる洗濯機機能以外の機能を
付加した場合には、その付加した機能を実行する際に、その操作キーが操作パネルのどこ
にあるのか、またその操作キーが何を実行するためのキーなのか感覚的に分かりにくいと
いう問題が考えられる。
【０００５】
本発明は上記問題点を鑑みてなされたもので、ドラムを駆動する洗濯機機能以外の機能
を付加した場合にその機能を実行する操作キーが使用者にとって容易に認識できるドラム
式洗濯機を提供することを目的とする。
【課題を解決するための手段】
【０００６】
上記目的を達成するために、本発明に係わるドラム式洗濯機は、外箱と、この外箱の内
部に弾性支持される水槽と、この水槽の内部に回転駆動するドラムとを備えると共に、
通風路と、この通風路を通して前記水槽内の空気を循環させる送風機と、前記通風路中
に蒸発器と凝縮器とを配設してそれらを圧縮機と接続することにより構成したヒートポン
プ機構とを備え、前記外箱前面に、蒸発器により冷却された空気を前記外箱外に吐出する
吐風口を有し、前記外箱には、操作パネルが設けられ、この操作パネルには、前記ドラム
を駆動する行程を実行する洗濯機機能キーと、前記吐風口から冷風を吐出させる行程を実
行する操作キーとが、前記ドラムと前記吐風口との位置関係に対応して配置されているこ
とを主たる特徴とする。
【発明の効果】
【０００７】
本発明のドラム式洗濯機によれば、ドラムを駆動する行程を実行する洗濯機機能キーと
、前記吐出口から冷風を吐出させる行程を実行する操作キーとを、前記ドラムと前記吐出
口との位置関係に対応して配置したため、使用者は、その位置関係からどの操作キーが、
冷風を吐出させる行程を実行するキーか容易に認識できる。
【発明を実施するための最良の形態】
【０００８】
以下、図面を用いて本発明のドラム式洗濯機をドラム式洗濯乾燥機に適用した一実施例
につき説明する。
【０００９】
図１は、ドラム式洗濯乾燥機の外観前面図。図２は、ドラム式洗濯乾燥機の全体構成と
乾燥行程の状態を示す縦断側面図。図３は、冷風エアコン行程を示す図２相当図。図４は
、操作パネルの拡大図。  
図１、図２、図３に示すように、ドラム式洗濯乾燥機は全体として矩形箱状をしており
、その外郭を形成する外箱１の前面部１ａには円形状の洗濯物投入口４を形成し、この洗
濯物投入口４には開閉可能な扉５が取り付けられている。また外箱１の後面には空気出入
口１ｂが形成されており、外箱１の内外を連通している。  
そしてこの外箱１の前面部１ａは、洗濯物投入口４を有する前面パネル２と、後述する
電源等のキーが配置された操作パネル３とから構成されている。  
また外箱１内部には、水槽６が配設されていて、この水槽６は前面に開口部を有するド
ラム状を成すもので、外箱１の底面部に左右一対のサスペンション（図示せず）を介して
横向きに弾性支持されており、その支持形態は、前面の開口部に向かって上昇傾斜する形
状である。  
この水槽６の前部には環状をなす水槽カバー６ａが設けられていて、この水槽カバー６
ａと洗濯物投入口４との間がベロー８によって水密に連通接続されている。  
水槽６の閉塞された底面を構成する後端面部６ｃ（図２中、右側の端面部）は十分な機
械的強度を有し、その背面にモータ１５が取付けられている。またその上部には、後述す
る給気口１６が形成されている。そのほか、水槽６の側面最底部には排水口１７が形成さ
れており、その下流には排水弁１８が取付けられ、その先には排水ホース１９が接続され
ている。また水槽６の上面には可撓性ホース２０が接続されており、この可撓性ホース２
０は外箱１の前方上部に設けられた洗剤ケース２１を介して給水装置２２と繋がり、給水
装置２２は給水弁２３と繋がり外箱１外の給水口２３ａと繋がっている。  
また水槽６の内部には、所定の間隙を有して径小のドラム３０が配設されている。この
ドラム３０の閉塞された底面は、強度十分の板厚とした例えば金属製のドラム支え３０ｂ
として機能するように設けられている。このドラム支え３０ｂ中心部に取付けられたドラ
ムシャフト３０ｃは、水槽６の底部の中心部から前記モータ１５に取付けられている。こ
れにより、ドラム３０は、水槽６と同じ傾斜をもって水槽６に回転可能に支持される。
【００１０】
また前記ドラム３０には、周壁部と底面部のほぼ全域に通水および通風が可能な多数の
孔３１が設けられており、また胴部の内周部の数箇所にバッフル３２が取付けられている
。  
またドラム３０の前部には、ドラムカバー３０ａが取り付けられている。このドラムカ
バー３０ａは、ドラム３０の開放された前面の周縁部に装着されたもので、中央部に洗濯
物出入口３３を有するリング状を成しており、耐熱材で構成されている。  
また上記した水槽カバー６ａは、中央部に開口部を有するリング状を成して、鉄板やス
テンレス板等の金属、又はガラスや合成樹脂などの耐熱性である剛性材で構成されている
。  
この水槽カバー６ａは、その上部に排気口４０を形成しており、その外部には排気口４
０を覆い、連通する排気ダクト４１が設けられている。  
この排気ダクト４１は、水槽カバー６ａを囲繞するように環状に設けられており、その
排気ダクト４１の下部は、蛇腹状部を有する可撓性ダクト４２を介して、水槽６の下方に
設けられた通風路としての通風ダクト４３の吸風口６４に接続されている。  
この通風ダクト４３は外箱１内に前部から後方へ延びていて、その後部にファンケーシ
ング４４が設けられている。ファンケーシング４４の上方に形成される吐出口４５には、
蛇腹状部を有する可撓性ダクト４６を介して給気ダクト４７に接続されている。給気ダク
ト４７は、モータ１５を囲繞するようにして、ドラム３０の回転方向に沿ってほぼ円弧状
に延びていて、その先端部が水槽６の後端面部６ｃの上部において前記給気口１６と接続
されている。
【００１１】
ここで、水槽カバー６ａの排気口４０に接続された排気ダクト４１、可撓性ダクト４２
、通風ダクト４３、ファンケーシング４４、可撓性ダクト４６、そして、水槽６の給気口
１６に接続された給気ダクト４７により、水槽６内と連通した循環送風路４８を構成して
いる。循環送風路４８のうちファンケーシング４４内には、送風機４９を構成するファン
４９ａが配設され、ファンケーシング４４の外部にファンモータ４９ｂが配設されている
。  
通風ダクト４３内には、ヒートポンプ機構５０の蒸発器（エバポレータ）５１と凝縮器
（コンデンサ）５２とが配設されている。ヒートポンプ機構５０は、周知のように、圧縮
機（コンプレッサ）５３と、凝縮器５２と、図示しないキャピラリチューブ（絞り）と、
蒸発器５１を順にパイプによりサイクル状に接続して冷凍サイクルを構成するもので、圧
縮機５３を駆動することに伴い、冷媒がそれらを順に通って循環するようになっている。
【００１２】
このとき、凝縮器５２においては、冷媒が熱を放出して液化するようになっており、この
凝縮器５２は循環空気の加熱手段として機能する。また、蒸発器５１においては、冷媒が
蒸発する際に周囲の熱を奪うことにより周囲を冷却するようになっており、この蒸発器５
１は循環空気の冷却手段として機能する。そしてこの場合、送風機４９や凝縮器５２およ
び蒸発器５１等のヒートポンプ機構５０により乾燥機能手段を構成するもので、これらは
外箱１内において水槽６の下方に配設されており、従って、外箱１内の下部に配置されて
いる。
【００１３】
更に、前記通風ダクト４３の前端の前面部には、吐風口６０が形成されている。この吐
風口６０は、それより前方の外箱１前面部の下部に形成した吐風スペース６３を介して、
通風ダクト４３から外箱１外に通じている。この吐風スペース６３には、吐風ケーシング
６１が吐風口６０の位置に合わせて設置され、上方に開口して外箱1外と繋がっている。
【００１４】
また内部には吐風ファン６２を有しており、この吐風ファンに６２には回転駆動させる吐
風ファンモータ６２ａ（図１参照）が取り付けられている。  
また、吐風口６０は、吸風口６４と連通していて、その連通部分には、切換ダンパ６５
を設けている。この切換ダンパ６５は、詳細には、吐風口６０側に位置して、上端部が支
軸６６により前後に回動可能に支持され、図示しないモータ或いは電磁装置などにより電
動的に回動されて、通風ダクト４３の吸風口６４および吐風口６０の閉鎖、開放の切換え
をする機能をしている。
【００１５】
一方、通風ダクト４３における蒸発器５１と凝縮器５２との間には、通風ダクト４３の
上面に吸気口６７が形成されており、この吸気口６７から通風ダクト４３外の空気を吐風
ファン６２により前記蒸発器５１を通し前記吐風口６０から外箱１外に吐出することによ
り後述する冷風エアコン行程を実現する。  
そして、凝縮器５２の上部には冷却装置６８が設けられていて、凝縮器５２を上方から
散水することにより、凝縮器５２を冷却する機能を有している。この冷却装置６８の上部
には受水口６９を有しており、この受水口６９に給水チューブ７０が接続されている。  
この給水チューブ７０の他端は外箱１内の後上部に取付けた給水弁２３の出口に接続さ
れており、凝縮器５２を冷却する時に給水チューブ７０を経て冷却装置６８に注水するよ
うにしている。  
また吸気口６７の下方には、通風ダクト４３の下面に冷却水排出口７１が形成されてお
り、外箱１外に臨む接続パイプ７２に接続されている。
【００１６】
ここで上述した操作パネル３について説明する。  
前面部１ａの上部には、図４に示すように、使用者がドラム式洗濯乾燥機の運転に係る
各種の行程を実行するための各種の操作キーや表示部を備えた表示パネル７５が設けられ
ている。具体的には、上記の各種の操作キーとして、ドラム式洗濯乾燥機の電源をオン／
オフする電源キー７６、ドラム式洗濯乾燥機をスタート／一時停止するためのスタート・
一時停止キー７７が配設され、さらに洗濯行程を選択するための洗濯キー８１、洗濯乾燥
行程を選択するための洗濯乾燥キー８２、乾燥モードを選択するための乾燥キー８３、冷
風エアコン行程を選択するための冷風エアコンキー８４により構成され、押圧操作して押
圧操作信号が出力されるようになっている。  
そしてこのうち洗濯キー８１、洗濯乾燥キー８２、乾燥キー８３は、ドラム３０を駆動
する行程を実行するもので、本来の洗濯機の機能であるドラムに収納した衣類を洗濯また
は乾燥をさせるための洗濯機機能を選択実行するキー（以下、洗濯機機能キー８０と称す
）である。  
そしてこれら洗濯機機能キー８０の下側に、冷風エアコンキー８４が配設されており、
この冷風エアコンキー８４は本来の洗濯機の機能以外の機能である冷風エアコン行程を行
わせるキーである。  
この冷風エアコン行程は、前述したように通風ダクト４３に設けた吸気口６７から通風
ダクト４３外の空気を吐風ファン６２により前記蒸発器５１を通し前記吐風口６０から外
箱１外に冷風を吐出する動作であるが、この冷風エアコン行程を実行する冷風エアコンキ
ー８４の配設箇所は、冷風エアコン行程による冷風が吐出される箇所である外箱１の前面
下部の吐風口６０に対応して設けられたものである。  
すなわちこれら操作キーは、ドラム３０内に収納された衣類を対象にする行程を選択す
る洗濯機機能キー８０を上側に、そして冷風をドラム３０の下方側に位置する吐風口６０
より吐出する冷風エアコン行程を選択する冷風エアコンキー８４を洗濯機機能キー８０の
下側に位置させており、ドラム３０と吐風口６０の位置関係と同じ位置関係になるように
対応させて配列させている。  
その他これら操作キーの左側方には、表示パネル７５が配設されており、操作キーの設
定内容やその各種行程の設定時間等を表示するよう機能している。  
そして操作パネル３の裏面には、操作回路を備える操作パネル制御ユニット３ａが配設
されており、操作パネル３の各種操作キーに基づく押圧操作信号を制御するようになって
いる。
【００１７】
次に上記構成の作用を説明する。  
まず、本来の洗濯乾燥機能としては、周知のように、洗い、すすぎ、脱水、乾燥行程を
実行するものである。  
そして、操作パネル３の操作キーにおいて、各行程が選択され実行される。  
上述した洗濯機機能を実行する場合には、扉５を開いて洗濯物（図示せず）を洗濯物投
入口４を介して、洗濯物出入口３３からドラム３０内に投入して収容する。そして洗剤ケ
ース２１内に洗剤を収容し、操作パネル３の洗濯機機能キー８０（洗濯キー８１、洗濯乾
燥キー８２、乾燥キー８３）のうちいずれかを選択する。  
例えば電源ＯＮ時に、洗濯乾燥キー８２が押されてスタートキー７７が押された場合に
は、操作パネル制御ユニット３ａが有する制御プログラムに基づき、洗い、すすぎ、脱水
、乾燥の各行程が自動的に行なわれる。  
洗い行程では、まず排水弁１８を閉じ、給水装置２２から水が洗剤ケース２１及び可撓
性ホース２０を介して水槽６内に供給されて貯留される。このとき、洗剤ケース２１内に
収容された洗剤も水と共に水槽６内に供給される。そして、モータ１５が駆動されて、ド
ラム３０が低速で正逆両方向に回転されることにより、ドラム３０内の洗濯物が洗われる
。この際、洗濯物と洗濯水をバッフル３２が順次かき上げ、洗濯物及び洗濯水の撹拌を促
進する。
【００１８】
洗い行程が終了すると、排水弁１８を開放して水槽６内の水を排出した後、中間脱水を
行なう。中間脱水は、モータ１５によりドラム３０を一方向に高速回転させることによっ
て洗濯物に含まれた水を遠心力により孔３１から排出させて行われる。この中間脱水が終
了するとつづいてすすぎ行程が行われる。すすぎ行程は、給水時に洗剤を使用しないとこ
ろ以外は洗い行程と同様に行なわれる。すすぎ行程が終了すると、最終脱水行程が行なわ
れる。最終脱水行程は、中間脱水行程と同様に、水槽６内の水を排出した後、モータ１５
によりドラム３０を一方向に高速回転させることによって行われる。  
この最終脱水行程が終了すると、次に乾燥行程が行なわれる。
【００１９】
この乾燥行程では、図２に示すようにまず切換ダンパ６５が吸風口６４を開放する。そ
してモータ１５によりドラム３０を低速で正逆両方向に回転させると共に、送風機４９、
及びヒートポンプ機構５０の圧縮機５３を駆動させる。このうち、送風機４９を駆動する
と、ファン４９ａの送風作用により、図２の実線の矢印で示すように、通風ダクト４３内
の空気がファンケーシング４４側に吸引されると共に、吐出口４５から可撓性ダクト４６
を介して給気ダクト４７側へ吐出される。  
給気ダクト４７へ吐出された空気は、給気口１６から水槽６内へ供給される。水槽６内
へ供給された空気の多くは、ドラム３０の孔３１を通してドラム３０内に供給される。  
ドラム３０内及び水槽６内の空気は、水槽６の開口部に向かって流れ、扉５の背面やベ
ロー８にぶつかり、水槽６前部の排気口４０から排気ダクト４１側へ排出される。排気ダ
クト４１側へ排出された空気は、下方の可撓性ダクト４２を通り、通風ダクト４３に戻さ
れるようにして循環される。  
また、圧縮機５３が駆動されると、圧縮機５３から高温高圧の冷媒が凝縮器５２に流れ
、ここで放熱して液化する。このとき、通風ダクト４３の凝縮器５２を通る空気がその凝
縮器５２により加熱される。また、液化した冷媒は、キャピラリチューブを通過して減圧
された後、蒸発器５１に流れ、ここで周囲の熱を奪って気化する。このとき、通風ダクト
４３の蒸発器５１を通る空気がその蒸発器５１により冷却される。蒸発器５１で気化した
冷媒は圧縮機５３に戻り、再び圧縮されて高温高圧の冷媒となって吐出される。  
このようにして、凝縮器５２により加熱された温風が、ドラム３０内に供給されること
により、ドラム３０内の洗濯物を加熱すると共に、洗濯物の水分を奪い、洗濯物を乾燥さ
せる。そして、水分を奪った空気が、通風ダクト４３の蒸発器５１を通る過程で冷却され
て、その空気に含まれる水分が凝縮して除湿される。除湿された空気が、再び凝縮器５２
を通る過程で加熱されて温風化され、温風がドラム３０内に供給されるというように循環
する。このように水槽６内の空気が循環送風路４８を通して循環されることに伴い、ドラ
ム３０内の洗濯物が乾燥される。以上により、洗濯機機能のうちの洗濯乾燥行程が終了す
る。  
なお、上述した洗濯機機能のうち洗濯キー８１を選択して実行した場合には、上述した
洗い行程から最終脱水行程まで行われ終了する。そして乾燥キー８３を選択して実行した
場合には、上述した乾燥行程のみが行われる。
【００２０】
以上に対して、洗濯機機能でない冷風エアコン行程を実行する為には、電源ＯＮ時に操
作パネル３上の洗濯機機能キー８０の下側に位置する冷風エアコンキー８４を押下する。
【００２１】
まず図３に示すように、切換ダンパ６５が、通風ダクト４３の吐風口６０の開放をし、
吸風口６４の閉鎖をするように切換えられ、この状態で、ヒートポンプ機構５０の圧縮機
５３の作動が開始されると共に、吐風ファン６２が作動される。  
これらにより、図３に実線矢印で示すように、通風ダクト４３外の空気が吸気口６７か
ら通風ダクト４３内に吸入されて蒸発器５１を通り冷却される。そして、その冷却された
空気が外箱１の前面部１ａの下部に設置される吐風口６０から吐風ファン６２を通って吐
風ケーシング６１の上部開口から外箱１外の前方に吐出され、ドラム式洗濯乾燥機が設置
され室内たスペースの冷房を行う。なお、それに伴って、外箱１の空気出入口１ｂからは
、外箱１外の空気が外箱１内（通風ダクト４３外）に吸い込まれる。  
また、このときには、図３に破線矢印で示すように、給水弁２３から給水チューブ７０
を経て凝縮器５２上の冷却装置６８に給水がなされるものであり、従って、冷却装置６８
の散水孔からは、凝縮器５２に散水がなされ、かくして凝縮器５２が冷却される。なお、
凝縮器５２から熱を奪った水は、冷却水排出口７１から接続パイプ７２を通って外箱１外
に排出される。以上により、冷風エアコン行程がなされる。
【００２２】
上記した実施形態によれば、次のような効果を得ることができる。  
まず、操作パネル３に冷風エアコン行程を実行させる冷風エアコンキー８４を設けたこ
とにより使用者は冷風エアコン行程を主要な機能と認識することができる。  
また冷風エアコンキー８４を洗濯機機能キー８０が配置されている場所と異なる場所に
配置したため、冷風エアコンキー８４がドラム３０を回転させる洗濯機機能以外の機能を
有するものであると使用者が認識しやすい。
【００２３】
さらに、操作パネル３には、ドラム３０内に収納された衣類を対象にしてドラムを回転
駆動する洗濯機機能の行程を選択する洗濯機機能キー８０を上側に、そして冷風をドラム
３０の下方側に位置する吐風口６０より吐出する冷風エアコン行程を選択する冷風エアコ
ンキー８４を洗濯機機能キー８０の下側に位置させており、ドラム３０と吐風口６０の位
置関係と同じ位置関係になるように対応させて配列したため、使用者にこれら操作キーの
配列を見ただけで、冷風が吐出される位置がドラム３０の下側であると認識できる視覚的
効果を与えることができる。  
また逆に、使用者はドラム式洗濯乾燥機の外観からドラム３０と吐風口６０の位置関係
を見て、操作パネル３で上で冷風エアコンキー８４を探す際には、冷風エアコンキー８４
が洗濯機機能キー８０の下方にあることにより感覚的に探しやすい。  
その他、本発明は上記実施例に限定されるものではなく、実施に際して本発明の要旨を
逸脱しない範囲で種々変更して実施できるものである。
【図面の簡単な説明】
【００２４】
【図１】本発明の一実施例を示すドラム式洗濯乾燥機の外観前面図
【図２】ドラム式洗濯乾燥機の全体構成と乾燥行程の状態を示す縦断側面図
【図３】冷風エアコン行程の状態を示す図２相当図
【図４】操作パネルの拡大図
【符号の説明】
【００２５】
図中、１は外箱、１ａは前面部、１ｂは空気出入口、２は前面パネル、３は操作パネル、
３ａは操作パネル制御ユニット、４は洗濯物投入口、５は扉、６は水槽、６ａは水槽カバ
ー、６ｂは開口部、６ｃは後端面部、７はサスペンション、８はベロー、１５はモータ、
１６は吸気口、１７は排水口、１８は排水弁、１９は排水ホース、２０は可撓性ホース、
２１は洗剤ケース、２２は給水装置、２３は給水弁、２３ａは給水口、３０はドラム、３
０ａはドラムカバー、３０ｂはドラム支え、３０ｃはドラムシャフト、３１は孔、３２は
バッフル、３３は洗濯物出入口、４０は排気口、４１は排気ダクト、４２は可撓性ダクト
、４３は通風ダクト、４４はファンケーシング、４５は吐出口、４６は可撓性ダクト、４
７は吸気ダクト、４８は循環送風路、４９は送風機、４９ａはファン、４９ｂはファンモ
ータ、５０はヒートポンプ機構、５１は蒸発器、５２は凝縮器、５３は圧縮機、６０は吐
風口、６１は吐風ケーシングは、６２は吐風ファン、６３は吐風スペース、６４は吸風口
、６５は切換ダンパ、６６は軸、６７は吸気口、６８は冷却装置、６９は受水口、７０は
給水チューブ、７１は冷却水排出口、７２は接続パイプ、７５は表示パネル、７６は電源
キー、７７はスタート・一時停止キー、８０は洗濯機機能キー、８１は洗濯キー、８２洗
濯乾燥キー、８３乾燥キー、８４冷風エアコンキー、を示す。
【図１】
2007267785.tif 000003
【図２】
2007267785.tif 000004
【図３】
2007267785.tif 000005
【図４】
2007267785.tif 000006